(57)【要約】【課題】高精度で伝搬路を推定して正確な受信信号の補正を行なう。【解決手段】送受信機間のＲＦ回路内の発振器との位相オフセットを伝搬路測定結果に基づいて推定する。そして、伝搬路測定結果の決定時点からデータ受信開始時点までの時間差を計測し、位相オフセット推定回路から得られる位相オフセット量に応じて伝搬路測定結果に対し補正を施す。これによって、伝搬路測定値の決定時からデータ受信開始時までの位相オフセットに起因する伝搬路測定値の誤差を補償するので、正しい伝搬路測定値を基にデータ復調を行なうことができるので、復調処理が破綻をきたす危険が解消される。【選択図】  図１
2008153833.tif 000002
【特許請求の範囲】
【請求項１】
伝搬路測定用の既知シーケンスを含むプリアンブルが付加された信号の受信処理を行なう無線通信装置であって、
受信したＲＦ信号を処理するＲＦ回路部と、
前記ＲＦ回路部によりＲＦ処理された受信信号のプリアンブル部分を用いて伝搬路を測定する伝搬路測定部と、
前記伝搬路測定部による伝搬路測定結果を基に送信機側との位相オフセットを推定する位相オフセット推定部と、
前記伝搬路測定部による伝搬路測定結果の決定時点から、プリアンブルに続く情報信号の受信開始時点までの位相補正時間を計測する位相補正時間計測部と、
前記位相補正時間計測部により計測された位相補正時間と前記位相オフセット部推定部により推定された位相オフセット値に基づいて伝搬路測定値の位相補正量を求め、情報信号の開始時において前記伝搬路測定部による伝搬路の測定結果を補正する伝搬路測定結果補正部と、
を備えることを特徴とする無線通信装置。
【請求項２】
前記伝搬路測定結果補正部により補正された伝搬路測定結果に基づいて前記ＲＦ回路部によりＲＦ処理された受信信号をＲＡＫＥ受信するＲＡＫＥ合成部と、
前記ＲＡＫＥ合成部による合成結果に基づいてキャリア位相のオフセットを検出するキャリア・トラッキング部を備え、
前記キャリア・トラッキング部により得られるキャリア位相オフセットに基づいて前記ＲＡＫＥ合成部によるＲＡＫＥ合成結果を補正する、
ことを特徴とする請求項１に記載の無線通信装置。
【請求項３】
前記キャリア・トラッキング部は、前記ＲＡＫＥ合成部におけるＲＡＫＥ合成のデータ出力が確定するまでＩ軸及びＱ軸の各成分を積算して得られるＲＡＫＥ受信結果をＩＱ平面上にマッピングすることで位相オフセット判定値（Ｐerr_I，Ｐerr_q）を得る、
ことを特徴とする請求項２に記載の無線通信装置。
【請求項４】
前記キャリア・トラッキング部は、位相オフセット判定値が所定の閾値を超えたことに応答して、位相オフセット判定値（Ｐerr_I，Ｐerr_q）をＩＱ平面上で位相オフセットとは逆方向に所定値だけ回転させることによって、ＲＡＫＥ合成結果を補正する、
ことを特徴とする請求項３に記載の無線通信装置。
【請求項５】
前記キャリア・トラッキング部は、位相補正を行なうとともに観測された位相オフセットの合計を計数し、キャリア信号のチップ位置が該観測された位相オフセットと反対方向となるように前記ＲＦ回路部におけるＡＤ変換のサンプリング・タイミングを制御する、
ことを特徴とする請求項４に記載の無線通信装置。
【請求項６】
前記伝搬路測定部は、信号レベルの大きなパスを所定数だけ選び出し、各々の位置とエネルギ値を出力する、
ことを特徴とする請求項１に記載の無線通信装置。
【請求項７】
エネルギ値が最大となるパスについてプリアンブルの終了を示す信号を検出するプリアンブル終端検出部をさらに備える、
ことを特徴とする請求項６に記載の無線通信装置。
【請求項８】
前記プリアンブルは、自己相関特性の良い複数のショートコード・パターンを含み、
前記伝搬路測定部及び前記プリアンブル終端検出部は、それぞれのショートコード・パターンを用いて伝搬路測定及びプリアンブルの終端位値の検出を行なう、
ことを特徴とする請求項７に記載の無線通信装置。
【請求項９】
前記伝搬路測定部は、チップ・タイミングに基づいて逆拡散用のシーケンスを生成して、前記ＲＦ回路部によりデジタル処理された受信信号と複素数的に乗算することにより逆拡散を行なう、
ことを特徴とする請求項１に記載の無線通信装置。
【請求項１０】
１個の逆拡散回路が１クロックに実施する逆拡散演算は、入力数のパラレル数に等しい、
ことを特徴とする請求項９に記載の無線通信装置。
【請求項１１】
前記プリアンブル終端検出部は、エネルギが最大となるパスをシンボル／パルス位置と判断し、当該パルス位置でプリアンブル終端検出用のショートコードによる逆拡散演算を行なって、プリアンブルの終端位置を検出する、
ことを特徴とする請求項８に記載の無線通信装置。
【請求項１２】
前記伝搬路測定部における伝搬路測定結果に基づいてプリアンブル終端位置を検出するプリアンブル終端検出部をさらに備え、
前記ＲＡＫＥ合成部は、前記プリアンブル終端検出部による検出タイミングに合わせてＲＡＫＥ合成処理を開始する、
ことを特徴とする請求項２に記載の無線通信装置。
【請求項１３】
伝搬路測定用の既知シーケンスを含むプリアンブルが付加された信号の受信処理を行なう無線通信方法であって、
受信したＲＦ信号を処理するＲＦ処理ステップと、
前記ＲＦ処理ステップにおいてＲＦ処理された受信信号のプリアンブル部分を用いて伝搬路を測定する伝搬路測定ステップと、
前記伝搬路測定ステップにおける伝搬路測定結果を基に送信機側との位相オフセットを推定する位相オフセット推定ステップと、
前記伝搬路測定ステップにおける伝搬路測定結果の決定時点から、プリアンブルに続く情報信号の受信開始時点までの位相補正時間を計測する位相補正時間計測ステップと、
前記位相補正時間計測ステップにおいて計測された位相補正時間と前記位相オフセット部推定ステップにおいて推定された位相オフセット値に基づいて伝搬路測定値の位相補正量を求め、情報信号の開始時において前記伝搬路測定ステップにおける伝搬路の測定結果を補正する伝搬路測定結果補正ステップと、
を備えることを特徴とする無線通信方法。
【発明の詳細な説明】
【技術分野】
【０００１】
本発明は、無線ＬＡＮ（Ｌｏｃａｌ  Ａｒｅａ  Ｎｅｔｗｏｒｋ）若しくはＰＡＮ（Ｐｅｒｓｏｎａｌ  Ａｒｅａ  Ｎｅｔｗｏｒｋ）のように複数の無線局間で相互に通信を行なう無線通信装置及び無線通信方法に係り、特に、ウルトラワイドバンド方式により伝送された信号の受信処理を行なう無線通信装置及び無線通信方法に関する。
【０００２】
さらに詳しくは、本発明は、マルチパスなどの伝搬路の影響により歪んだ受信信号の補正を行なう無線通信装置及び無線通信方法に係り、特に、送受信機間の発振器の位相オフセットに拘わらず高精度で伝搬路を推定して正確な受信信号の補正を行なう無線通信装置及び無線通信方法に関する。
【背景技術】
【０００３】
近年、「ウルトラワイドバンド（ＵＷＢ）通信」と呼ばれる、非常に広い周波数帯域を使用して１００Ｍｂｐｓ以上の高速伝送を可能にする無線通信方式が注目を集めている。例えば米国では、ＦＣＣ（Ｆｅｄｅｒａｌ  Ｃｏｍｍｕｎｉｃａｔｉｏｎｓ  Ｃｏｍｍｉｓｓｉｏｎ：連邦通信委員会）によりＵＷＢ用のスペクトラム・マスクが規定されており、室内環境において３．１ＧＨｚから１０．６ＧＨｚの帯域でＵＷＢ伝送を行なうことができる。ＵＷＢ通信は、送信電力の関係から近距離向けの無線通信方式であるが高速な無線伝送が可能であることから、通信距離が１０ｍ程度のＰＡＮ（Ｐｅｒｓｏｎａｌ  Ａｒｅａ  Ｎｅｔｗｏｒｋ）が想定され、近距離超高速伝送を実現する無線通信システムとしてその実用化が期待されている。
【０００４】
ＵＷＢ伝送方式として、ＤＳ（Ｄｉｒｅｃｔ  Ｓｐｒｅａｄ：直接拡散）の情報信号の拡散速度を極限まで高くしたＤＳＳＳ（Ｄｉｒｅｃｔ  Ｓｅｑｕｅｎｃｅ  Ｓｐｒｅａｄ  Ｓｐｅｃｔｒｕｍ）−ＵＷＢ方式と、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）変調方式を採用したＯＦＤＭ＿ＵＷＢ方式が検討されている。
【０００５】
ここで、ＯＦＤＭ伝送方式では、シリアルで送られてきた情報を情報伝送レートより遅いシンボル周期毎にシリアル−パラレル変換して出力される複数のデータを各サブキャリアに割り当ててサブキャリア毎に振幅及び位相の変調を行ない、その複数サブキャリアについて逆ＦＦＴを行なうことで周波数軸での各サブキャリアを時間軸の信号に変換して、ＯＦＤＭ変調が行なわれる。ＯＦＤＭ受信機側では、この逆の操作、すなわちＦＦＴを行なって時間軸の信号を周波数軸の信号に変換して各サブキャリアについてそれぞれの変調方式に対応した復調を行ない、パラレル−シリアル変換して元のシリアル信号で送られた情報を再生する。各サブキャリアの周波数は、シンボル区間内で相互に直交するように設定されている。サブキャリアが互いに直交するとは、任意のサブキャリアのスペクトラムのピーク点が常に他のサブキャリアのスペクトラムのゼロ点と一致していることを意味する。したがって、送信データを周波数の異なる複数のキャリアに分配して伝送するので、各キャリアの帯域が狭帯域となり、周波数利用効率が非常に高く、周波数選択性フェージング妨害に強いという特徴がある。
【０００６】
一方、ＳＳ方式によれば、同じ周波数帯を利用する通信システムが共存する環境下でも、正常な通信が可能となるための所要Ｃ／Ｉを０ｄＢよりも低いレベルに設定することができる（すなわち、自分の信号と同レベルで他人の信号を検出しても、自分は依然として通信可能である）。特にＵＷＢの場合、占有帯域幅が広いのでＳＳ方式を利用し易い。ＤＳＳＳ方式では、送信側において情報信号にＰＮ（Ｐｓｅｕｄｏ  Ｎｏｉｓｅ：擬似雑音）符号と呼ばれるランダム符号系列を乗算することにより占有帯域を拡散し、受信側では受信した拡散情報信号にＰＮ符号を乗算して逆拡散を施し、情報信号を再生する。
【０００７】
また、使用する周波数帯を柔軟に変更する周波数ホッピング（ＦＨ）方式が知られている。ＦＨ方式によれば、周波数を毎回ランダムに変化させながらパケットの送受信を行ない、他のシステムからの影響により通信できなくなることもあるが、絶えず周波数を変化させることにより、通信が途絶することはほとんどない。すなわち、他のシステムとの共存が可能であり、フェージング耐性に優れるとともに、スケーラビリティが容易である。
【０００８】
ＩＥＥＥ８０２．１５．３における標準化会議では、ＤＳＳＳ−ＵＷＢ方式とＯＦＤＭ＿ＵＷＢ方式のいずれにおいても、ＦＣＣで定められた３．１ＧＨｚから１０．６ＧＨｚまでの帯域をそれぞれ５２８ＭＨｚ幅からなる複数のサブバンドに分割して、サブバンド間を周波数ホッピング（ＦＨ）するマルチバンド方式（以下、「ＭＢ−ＯＦＤＭ方式」とする）が検討されている。
【０００９】
将来、ＵＷＢに代表される近距離通信のＷＰＡＮ（Ｗｉｒｅｌｅｓｓ  Ｐｅｒｓｏｎａｌ  Ａｃｃｅｓｓ  Ｎｅｔｗｏｒｋ）はあらゆる家電品やＣＥ（Ｃｏｎｓｕｍｅｒ  Ｅｌｅｃｔｒｏｎｉｃｓ）機器に搭載されることが予想され、１００Ｍｂｐｓ超のＣＥ機器間のＰ−ｔｏ−Ｐ伝送や家庭内ネットワークの実現が期待されている。ミリ波帯の利用が普及した場合には１Ｇｂｐｓ超の短距離無線も可能となり、ストレージ・デバイスなどを含む超高速な近距離用のＤＡＮ（Ｄｅｖｉｃｅ  Ａｒｅａ  Ｎｅｔｗｏｒｋ）も実現可能となる。
【００１０】
ところで、無線通信においては、送信機から送り出された信号はマルチパスなどの伝搬路の影響を受けて受信機で受信されるという問題がある。具体的には、伝送信号は、伝搬路上で位相が回転するとともに信号振幅が変動するため、受信機側では受信した信号から元のデータを正しく復号できなくなる。このため、受信機では、伝搬路特性を測定し、受信信号に対し位相回転量並びに振幅を補正するといった補正を行なう必要がある。
【００１１】
伝搬路測定は、一般的には、送信機と受信機間で既知の系列を送受信することで得られる。すなわち、送信機は、伝搬路測定用のトレーニング系列をパケットのプリアンブルに含めて送信し、受信機は受信したプリアンブルに既知のトレーニング系列を乗算することによって、伝搬路上での位相回転量並びに振幅変動量を取得し、情報信号（ペイロード）に対して位相回転量だけ逆回転しさらに振幅を元に戻すという操作を行なうことで補正を施すことができる。
【００１２】
また、送受信機にそれぞれ搭載されている発振器には位相オフセットが存在する。位相オフセットは、送受信機のアナログ部のＩＱ変調部及び復調部の間で発生する。受信機側でＦＦＴした値の周波数領域でのデータで見ると、位相オフセットの低域成分は、ＯＦＤＭシンボル毎に全サブキャリアがほぼ同一角度だけ位相が回転するという現象として観測することができる。ＯＦＤＭシンボル毎に位相回転する角度は区々であるが、サブキャリア毎の角度は同一のように観測される。このため、受信機側では、キャリア・トラッキングを行ない、最適な位相回転量となるように補正を施す必要がある。
【００１３】
例えば、伝送レートがＡＤ変換器の上限速度よりも早い場合と遅い場合とでキャリア・トラッキングの方法が異なる位相回転部について開示されている（例えば、特許文献１を参照のこと）。すなわち、ＡＤ変換器の上限動作速度より遅い伝送レートの場合には、サンプリングされた値の２乗値を平均化し、位相オフセット求め、当該オフセット分だけ戻す処理を行なう。この場合、伝搬路の測定結果に基づいて回転補正することに相当するので、速度制限があるものの、精度が高い。一方、ＡＤ変換器の上限速度よりも速い伝送レートの場合には、受信信号のＩ軸成分とＱ軸成分から、４５度ずつ位相オフセット値をあらかじめ計算したものを簡単な比較に通すというテンプレート・マッチングを行なう。そして、サンプリングされたい値から計算される位相オフセットに最も近いオフセットに相当する比較器からの出力を選択し、これをキャリア・トラッキングした後の値とする。
【００１４】
上述したように、受信機側では、パケットのプリアンブルに含まれるトレーニング系列を用いて伝搬路の測定を行なう。言い換えれば、少なくともパケットの受信開始時においては、トレーニング系列から得られた伝搬路測定結果をそのまま用いて受信信号の補正を行なうことになる。このような場合、伝搬路測定結果には位相オフセットに起因する誤差が含まれているため、正確な測定値とは言い難い。例えば、伝搬路測定値を決定した時点から情報信号の受信を開始するまでの期間における位相回転量が一定値を超えると、データ復調が破綻してしまうという問題がある。
【００１５】
【特許文献１】特開２００４−１５９１９６号公報
【発明の開示】
【発明が解決しようとする課題】
【００１６】
本発明の目的は、ＵＷＢ方式により伝送された信号の受信処理を好適に行なうことができる、優れた無線通信装置及び無線通信方法を提供することにある。
【００１７】
本発明のさらなる目的は、マルチパスなどの伝搬路の影響により歪んだ受信信号の補正を正確に行なうことができる、優れた無線通信装置及び無線通信方法を提供することにある。
【００１８】
本発明のさらなる目的は、送受信機間の発振器の位相オフセットに拘わらず高精度で伝搬路を推定して正確な受信信号の補正を行なうことができる、優れた無線通信装置及び無線通信方法を提供することにある。
【課題を解決するための手段】
【００１９】
本発明は、上記課題を参酌してなされたものであり、伝搬路測定用の既知シーケンスを含むプリアンブルが付加された信号の受信処理を行なう無線通信装置であって、
受信したＲＦ信号を処理するＲＦ回路部と、
ＲＦ処理された受信信号のプリアンブル部分を用いて伝搬路を測定する伝搬路測定部と、
前記伝搬路測定部による伝搬路測定結果を基に送信機側との位相オフセットを推定する位相オフセット推定部と、
前記伝搬路測定部による伝搬路測定結果の決定時点から、プリアンブルに続く情報信号の受信開始時点までの位相補正時間を計測する位相補正時間計測部と、
前記位相補正時間計測部により計測された位相補正時間と前記位相オフセット部推定部により推定された位相オフセット値に基づいて伝搬路測定値の位相補正量を求め、情報信号の開始時において前記伝搬路測定部による伝搬路の測定結果を補正する伝搬路測定結果補正部と、
を備えることを特徴とする無線通信装置である。
【００２０】
無線通信では、送信機から送り出された信号はマルチパスなどの伝搬路の影響を受けて受信機で受信されることから、受信機では、伝搬路特性を測定し、受信信号に対し位相回転量並びに振幅を補正するといった補正を行なう必要がある。
【００２１】
受信機側では、パケットのプリアンブルに含まれるトレーニング系列を用いて伝搬路の測定を行なうことができる。ところが、パケットの受信開始時においては、トレーニング系列から得られた伝搬路測定結果には位相オフセットに起因する誤差が含まれている。このため、伝搬路測定値を決定した時点から情報信号の受信を開始するまでの期間における位相回転量が一定値を超えると、データ復調が破綻してしまうという問題がある。
【００２２】
そこで、本発明に係る無線通信装置は、その受信機側において、伝搬路測定部による伝搬路測定結果を基に送信機側との位相オフセットを推定する位相オフセット推定部を備えている。また、位相補正時間計測部は、伝搬路測定部による伝搬路測定結果の決定時点から、プリアンブルに続く情報信号の受信開始時点までの位相補正時間を計測する。そして、伝搬路測定結果補正部は、位相補正時間計測部により計測された位相補正時間と位相オフセット部推定部により推定された位相オフセット値に基づいて伝搬路測定値の位相補正量を求め、情報信号の開始時において伝搬路測定部による伝搬路の測定結果を補正するようになっている。
【００２３】
これによって、伝搬路測定値の決定時からデータ受信開始時までの位相オフセットに起因する伝搬路測定値の誤差を補償するので、正しい伝搬路測定値を基にデータ復調を行なうことができるので、復調処理が破綻をきたす危険が解消される。
【００２４】
本発明に係る無線通信装置は、伝搬路測定結果補正部により補正された伝搬路測定結果に基づいてＲＦ回路部によりＲＦ処理された受信信号をＲＡＫＥ受信するＲＡＫＥ合成部と、ＲＡＫＥ合成部による合成結果に基づいてキャリア位相のオフセットを検出するキャリア・トラッキング部をさらに備えており、キャリア・トラッキング部により得られるキャリア位相オフセットに基づいてＲＡＫＥ合成部によるＲＡＫＥ合成結果を補正することができる。
【００２５】
ここで、キャリア・トラッキング部は、ＲＡＫＥ合成部におけるＲＡＫＥ合成のデータ出力が確定するまでＩ軸及びＱ軸の各成分を積算して得られるＲＡＫＥ受信結果をＩＱ平面上にマッピングすることで位相オフセット判定値（Ｐerr_I，Ｐerr_q）を得ることができる。そして、キャリア・トラッキング部は、位相オフセット判定値が所定の閾値を超えたことに応答して、位相オフセット判定値（Ｐerr_I，Ｐerr_q）をＩＱ平面上で位相オフセットとは逆方向に所定値だけ回転させることによって、ＲＡＫＥ合成結果を補正する。また、キャリア・トラッキング部は、位相補正を行なうとともに観測された位相オフセットの合計を計数し、キャリア信号のチップ位置が該観測された位相オフセットと反対方向となるようにＲＦ回路部におけるＡＤ変換のサンプリング・タイミングを制御するようになっている。
【００２６】
したがって、本発明に係る無線通信装置は、高精度なキャリア・トラッキングが可能である。このようなキャリア・トラッキング処理の大部分をデジタル回路で行なうことから、ＲＦ回路内のキャリア周波数を制御する必要がない。また、ＡＤ変換のタイミングを切り替えることによりキャリア・トラッキングを行なうので、ＶＣＸ（Ｖｏｌｔａｇｅ  Ｃｏｎｔｒｏｌｌｅｄ  Ｃｒｙｓｔａｌ  Ｏｓｃｉｌｌａｔｏｒ：電圧制御水晶発振器）−ＴＣＸＯ（Ｔｅｍｐｅｒａｔｕｒｅ  Ｃｏｍｐｅｎｓａｔｅｄ  Ｃｒｙｓｔａｌ  Ｏｓｃｉｌｌａｔｏｒ：温度補償水晶発振器）といった高価な発振器を用いる必要がなく、ＲＦ回路をより簡易に実装することができる。
【００２７】
また、本発明に係る無線通信装置は、プリアンブルの終了を示す信号を検出するプリアンブル終端検出部をさらに備えている。伝搬路測定部は、信号レベルの大きなパスを所定数だけ選び出し、各々の位置とエネルギ値を出力する。そして、プリアンブル終端検出部は、エネルギ値が最大となるパスについて、プリアンブルの終了を示す信号を検出する。
【００２８】
パケットに付加されるプリアンブルは、自己相関特性の良い複数のショートコード・パターンを含んでいる。したがって、伝搬路測定部及びプリアンブル終端検出部は、それぞれのショートコード・パターンを用いて伝搬路測定及びプリアンブルの終端位値の検出を行なうことができる。
【００２９】
伝搬路測定部は、チップ・タイミングに基づいて逆拡散用のシーケンスを生成して、ＲＦ回路部によりデジタル処理された受信信号と複素数的に乗算することにより逆拡散を行なうことで、伝搬路の測定を行なう。ここで、１個の逆拡散回路が１クロックに実施する逆拡散演算は、入力数のパラレル数に等しい。
【００３０】
また、プリアンブル終端検出部は、エネルギが最大となるパスをシンボル／パルス位置と判断し、当該パルス位置でプリアンブル終端検出用のショートコードによる逆拡散演算を行なって、プリアンブルの終端位置を検出する。そして、ＲＡＫＥ合成部は、プリアンブル終端検出部による検出タイミングに合わせてＲＡＫＥ合成処理を開始する。したがって、プリアンブルの終点（終了）位置（すなわち情報信号の開始（先頭）位置）を正確且つ高速に検出することができるので、受信性能の向上に繋がる。
【発明の効果】
【００３１】
本発明によれば、マルチパスなどの伝搬路の影響により歪んだ受信信号の補正を正確に行なうことができる、優れた無線通信装置及び無線通信方法を提供することができる。
【００３２】
また、本発明によれば、送受信機間の発振器の位相オフセットに拘わらず高精度で伝搬路を推定して正確な受信信号の補正を行なうことができる、優れた無線通信装置及び無線通信方法を提供することができる。
【００３３】
本発明に係る無線通信装置は、高速で且つ高精度の伝搬路測定が可能となる。そして、伝搬路測定値の決定時からデータ受信開始時までの位相オフセットに起因する伝搬路測定値の誤差を補償するので、正しい伝搬路測定値を基にデータ復調を行なうことができ、復調処理が破綻をきたす危険が解消される。
【００３４】
また、本発明に係る無線通信装置は、高精度なキャリア・トラッキングが可能となる。また、キャリア・トラッキング処理の大部分をデジタル回路で行なうことから、ＲＦ回路内のキャリア周波数制御を行なう必要がなく、ＲＦ回路をより簡素に構成することができる。また、ＡＤ変換のタイミングを切り替えることによりキャリア・トラッキングを行なうので、高精度な発振器を用いる必要がなく、ＲＦ回路をより簡易に実装することができる。
【００３５】
また、本発明に係る無線通信装置は、プリアンブルの終点（終了）位置（すなわち情報信号の開始（先頭）位置）を正確且つ高速に検出することができるので、受信性能の向上に繋がる。
【００３６】
また、本発明に係る無線通信装置は、回路使用効率の向上と回路規模の低減化を実現することができる。
【００３７】
本発明のさらに他の目的、特徴や利点は、後述する本発明の実施形態や添付する図面に基づくより詳細な説明によって明らかになるであろう。
【発明を実施するための最良の形態】
【００３８】
以下、図面を参照しながら本発明の実施形態について詳解する。
【００３９】
図１には、本発明の一実施形態に係る無線通信装置におけるＲＦ部の構成を模式的に示している。図示のＲＦ部は、典型的なπ／２シフトＢＰＳＫ（ＢｉＰｈａｓｅ  Ｓｈｉｆｔ  Ｋｅｙｉｎｇ）方式の送受信機である。以下の説明では、ＲＦ部のキャリア周波数を４ＧＨｚ、ＡＤ変換のサンプルレート（すなわちチップレート）を１ＧＨｚ、ベースバンド部のクロック周波数を１２５ＭＨｚとする。図示の送受信機は、Ａ／Ｄ変換以降のベースバンド側からの制御信号により、１ＧＨｚのサンプリング周波数の位相を４段階に切り替えることが可能な構成となっている。
【００４０】
送信系統では、ベースバンド処理部（図１には示さない）から送られてきた送信信号は、パラレル−シリアル変換された後、５００ＭＨｚのタイミングにより奇数タイミングと偶数タイミングに交互に振り分けられパルス整形される。これらは直交関係にある４ＧＨｚのキャリアによりそれぞれＢＰＳＫ変調されて加算され、パワーアンプにより増幅した後、ＲＦフィルタ経由でアンテナから無線送信する。図２には、９０度の位相差を持つＩ軸及びＱ軸信号と、その乗算後（Ｅｎｖｅｌｏｐｅ）の信号波形のイメージを示している。
【００４１】
受信系統では、アンテナで受信した無線信号でＲＦフィルタ及び低雑音アンプを経由し、中心周波数信号４ＧＨｚ及びその９０度の位相差を持つ周波数信号で周波数合成して直交検波を行なうことでＩ軸及びＱ軸信号に分離し、それぞれをＲＳＳＩ（受信信号電界強度）に基づいてＡＧＣ（Ａｕｔｏｍａｔｉｃ  Ｇａｉｎ  Ｃｏｎｔｒｏｌ：自動利得制御）を掛ける。そして、Ａ／Ｄ変換器により１ＧＨｚ間隔でデジタル信号としてサンプリングされる。さらにサンプリングされたＩ／Ｑ信号はシリアル−パラレル変換され、以降はベースバンド処理部によるデジタル処理に委ねる。
【００４２】
ローカル発振器により生成されるローカル周波数４ＧＨｚがＲＦ部におけるキャリア周波数となる。
【００４３】
また、このキャリア周波数は１／４分周され、Ａ／Ｄ変換器のサンプルレートすなわちチップレート１ＧＨｚとして供給される。
【００４４】
また、チップレート１ＧＨｚはさらに１／８分周されて、ベースバンド処理部（後述）のクロック周波数１２５ＭＨｚとして与えられる。
【００４５】
ここで、ベースバンド処理部のクロック周波数はチップレートの整数分の１で且つプロセスで実現可能な動作速度から選択すればよい。通常のスペクトラム拡散（ＳＳ）方式の受信機であればベースバンド処理部をチップレートと同じクロック周波数で動作可能である。ところが、ＵＷＢ方式ではチップレートと同じクロック周波数では消費電力が過大となるため、チップレートの整数分の１としている。
【００４６】
また、発振器は、ベースバンド処理部からの移相指令（Ｐｈａｓｅ  Ｓｈｉｆｔ）に応答して、チップ・タイミングすなわちチップ内位相を０／４から２／４に切り替える機構を備えており、これによりＲＦ部の位相をシフトすることが可能である。
【００４７】
図３には、本発明の実施形態に係る無線通信装置におけるベースバンド処理部の構成を模式的に示している。図示のベースバンド処理部１０は、送信系統として情報信号の拡散処理を行なう拡散変調部（Ｄｉｒｅｃｔ  Ｓｐｒｅａｄｅｒ）１１を備え、受信系統として、伝搬路の遅延プロファイル測定を行なう伝搬路測定部（Ｃｈａｎｎｅｌ  Ｍｅａｓｕｒｅ）１２、プリアンブル信号の終端を検出するプリアンブル終端検出部（ＰｒｅａｍｂｌｅＥｎｄＤｅｔｅｃｔ）１３、並びにマルチパス信号のエネルギをＲＡＫＥ合成して信号を復調するＲＡＫＥ合成部１４を備えている。これら送受信系統の各機能回路部１１〜１４は、物理層シーケンス制御部（ＰｈｙＳｅｑｕｅｎｃｅＣｏｎｔｒｏｌ）１５により統括的にコントロールされる。
【００４８】
図示のベースバンド処理部１０の送信系統では、通信プロトコルの上位層に相当するＭＡＣ層ハードウェア回路から送られてきた送信信号を拡散変調部１１により直接拡散（ＤＳ）を施し、ＲＦ部の送信系統へ送出する。ベースバンド処理部１０の受信系統における信号処理手順については後述に譲る。
【００４９】
また、本実施形態では、物理層シーケンス制御部１５内にキャリア・トラッキング・ブロックが配設されているが、その構成と動作については後に詳解する。
【００５０】
図４には、本発明の実施形態において、無線伝送に用いられる信号のフォーマット構成例を模式的に示している。
【００５１】
図示のように、送信信号は、信号検出並びに同期獲得などの処理を行なうためのプリアンブル（Ｐｒｅａｍｂｌｅ）部と、ＰＨＹ層用の制御情報を記述したＰＨＹヘッダ部と、ペイロード（Ｐａｙｌｏａｄ）部で構成される。ペイロード部は、さらにＭＡＣヘッダ部とＭＡＣペイロード部に分離することができる。但し、ＭＡＣフレームの構成自体は本発明の要旨に直接関連しないので、ここでは説明を省略する。
【００５２】
プリアンブル部は、１２８チップからなるショートコード・パターン（Ｓｐｒｅａｄ  Ｓｅｑｕｅｎｃｅ）のパターンにより構成される。本実施形態では、自己相関特性のよい２つのショートコード・パターンＡ及びＢが用意されている。
【００５３】
プリアンブル部の先頭ではショートコード・パターンＢを複数回繰り返し、ＡＧＣのゲインを安定させるための領域として使用される。図４に示す例では、ＡＧＣ用に８回だけショートコード・パターンＢが繰り返されているが、ＡＧＣが安定する期間分だけ当該領域を確保する必要がある。
【００５４】
また、ＡＧＣ用の領域以降には、ショートコード・パターンＡを５シンボル用いて構成される伝搬路測定用のトレーニング・パターンが５回だけ繰り返して配置される。
【００５５】
さらに、トレーニング・パターン以降には、ショートコード・パターンＢを４つ用いて構成されるプリアンブル終端検出用のパターンが配置される。
【００５６】
但し、本発明の要旨は、図４に示したフォーマット構成に限定されるものではなく、各パターンを構成するパラメータ値などは適宜変更が可能である。
【００５７】
図５には、図３に示した受信系統の構成をより詳細に示している。ベースバンド処理部の受信系統は、伝搬路の遅延プロファイル測定を行なう伝搬路測定部（Ｃｈａｎｎｅｌ  Ｍｅａｓｕｒｅ）１２、プリアンブル信号の終端を検出するプリアンブル終端検出部（ＰｒｅａｍｂｌｅＥｎｄＤｅｔｅｃｔ）１３、並びにマルチパス信号のエネルギをＲＡＫＥ合成して信号を復調するＲＡＫＥ合成部１４を備え、物理層シーケンス制御部（ＰｈｙＳｅｗｑｕｅｎｃｅＣｏｎｔｒｏｌ）１５により統括的にコントロールされる。
【００５８】
以下の説明では、ＲＦ部のキャリア周波数を４ＧＨｚ、Ａ／Ｄ変換のサンプルレートすなわちチップレートを１ＧＨｚ、ベースバンド処理部のクロック周波数を１２５ＭＨｚとする。
【００５９】
ここで、ベースバンド処理部１０のクロック周波数はチップレートの整数分の１で且つプロセスで実現可能な動作速度から選択すればよい。本実施形態では、クロック周波数１２５ＭＨｚは、チップレート１ＧＨｚの８分の１に相当する。通常のスペクトラム拡散（ＳＳ）方式の受信機であればベースバンド処理部をチップレートと同じクロック周波数で動作可能である。ところが、ＵＷＢ方式ではチップレートと同じクロック周波数では消費電力が過大となるため、チップレートの整数分の１としている。
【００６０】
ＲＦ部で受信したプリアンブル信号は、キャリア周波数４ＧＨｚ及びその９０度位相差を持つ周波数により直交検波してＩ軸及びＱ軸信号に分離され、これらＩ軸及びＱ軸信号は、Ａ／Ｄ変換器により１ＧＨｚのチップレートでサンプリングされる。サンプリングされたデータは、Ｉ及びＱそれぞれ８パラレルにされて、伝搬路測定部（ＣｈａｎｎｅｌＭｅａｓｕｒｅ）１２に入力され、伝搬路の遅延プロファイル測定が行なわれる。
【００６１】
通常のスペクトラム拡散（ＳＳ）方式の受信機であれば、ベースバンド処理部１０をチップレートと同じクロック周波数で動作させることが可能である。この場合であれば、スライディング相関をとることにより伝搬路測定を行なうことができる。ところが、ＵＷＢ方式ではチップレートと同じクロック周波数では消費電力が過大になるという理由により、ベースバンドのクロック数をチップレートの整数分の１としていることから、スライディング相関を利用した伝搬路測定を行なうことができない。
【００６２】
このため、本実施形態では、伝搬路測定部１２は、ショートコード毎に逆拡散を行なうことにより、伝搬路測定を行なう。測定する区間は、ショートコードのチップ数１２８×チップレート１ナノ秒＝１２８ナノ秒である。
【００６３】
伝搬路測定部１２は、物理層シーケンス制御部１５からの伝搬路測定指令（ＭｅａｓｕｒｅＣｏｎｔｒｏｌ）に応答して、伝搬路の測定を行なう。具体的には、チップ・タイミングに基づいて逆拡散用のシーケンスを生成し、デジタル処理された受信信号と複素数的に乗算することにより逆拡散を行なう。ここで、１個の逆拡散回路が１クロックに実施する逆拡散演算は、入力数のパラレル数に等しい。次いで、これらの乗算結果をシンボル区間で複素数的に積分して、受信シンボル（ＲｘＳｙｍｂｏｌ  Ｉ，ＲｘＳｙｍｂｏｌ  Ｑ）を複素数的に得る。また、逆拡散後の各受信シンボルの２乗の和（Ｉ×Ｉ＋Ｑ×Ｑ）により相関出力を得ることができる。そして、伝搬路測定部１２は、１２８ポイントのうち信号レベルの大きなパスを所定数だけ選び出し、各々の位置（ＢｉｇＰａｔｈＩｎｄｅｘ）とエネルギ値（ＢｉｇＰａｔｈＥｎｅｒｇｙ）を物理層シーケンス制御部１５に出力する。
【００６４】
物理層シーケンス制御部１５は、信号を検出すると、伝搬路測定を終わり、プリアンブル終端検出部１３に最大のエネルギが検出されたパスの位置（Ｉｎｄｅｘ）を渡す。プリアンブル終端検出部１３では、このエネルギが最大となるパスをシンボル／パルス位置と判断し、当該パルス位置でプリアンブル終端検出用のショートコードによる逆拡散演算を行なって、プリアンブルの終端位置を検出する。そして、プリアンブル終端検出部１３は、得られた値（ＰｒｅａｍｂｌｅＥｎｄＤｅｔｅｃｔＤｅｃｉｓｉｏｎＶａｌｕｅ）を物理層シーケンス制御部１５に返す。そして、物理層シーケンス制御部１５は、ＰｒｅａｍｂｌｅＥｎｄＤｅｔｅｃｔＤｅｃｉｓｉｏｎＶａｌｕｅを用いてプリアンブルの終了判定を行なう。
【００６５】
無線信号を送受信する場合の問題点の１つとして、マルチパス・フェージングを挙げることができる。これは、通信電波が建物やその他の物体などに反射することにより異なる経路で受信側に到達し、異なる方向から到達した電波同士が干渉し合うことにより受信信号が乱れる現象である。
【００６６】
ＲＡＫＥ受信は、複数の電波を受信することを意味し、マルチパス伝搬路によって複数の遅延波が重畳した受信信号から逆拡散処理によって希望信号を分離し、分散した信号パワーを１つに集める。すなわち、直接スペクトラム拡散が持つ逆拡散による時間分解の効果を利用して、分離された各パスの信号を時間と位相を揃えて合成する（例えば、パスのＳ／Ｎ比に従って重み付けして最大比合成する）。ＲＡＫＥ受信によれば、時間的に分散した希望信号電力を有効に合成することができる。
【００６７】
本実施形態では、上述した操作によりプリアンブルの終端を見つけると、まもなくデータ本体（すなわちＰＨＹヘッダ及びペイロード）が到来する。物理層シーケンス制御部１５は、このタイミングに合わせて、ＲＡＫＥ合成部１４にＮ個のパスそれぞれの伝搬路複素振幅値と拡散率をセットし、ＲＡＫＥ合成処理を開始させる。受信シンボルであるＲＡＫＥ合成部１４の出力のＩ軸成分が復調データとなる。
【００６８】
既に述べたように、本実施形態では、物理層シーケンス制御部１５内でキャリア・トラッキングが行なわれる。図６には、キャリア・トラッキング部の構成を示している。
【００６９】
ＲＡＫＥ合成部１４の出力は、Ｉ軸及びＱ軸の受信データとして次工程（図示しない）に送り出されるとともに、各軸成分のキャリアの位相オフセットを検出するために、物理層シーケンス制御部１５に戻される。
【００７０】
キャリア・トラッキング部内のデータ蓄積部（Ｄａｔａ  Ａｃｃｕｍｕｒａｔｉｏｎ）２１では、ＲＡＫＥ合成部１４の出力が確定するタイミング（すなわち、ＲＡＫＥ合成部のデータ・イネーブル信号）まで加算される。
【００７１】
図７には、データ蓄積部２１内でＩ軸及びＱ軸の各成分の加算処理を行なう回路構成を図解している。同図に示すように、ＲＡＫＥ合成出力のＩ軸成分は、その絶対値が加算される。一方、Ｑ軸成分は、対応するＩ軸成分の極性が負の場合は、極性を反転させてから加算される。図８には、Ｉ軸及びＱ軸の各成分の加算処理を行なう操作をＩＱ平面上で示している。同図に示すように、すべての受信点をＩ＞０の平面に集めることに対応する操作が行なわれる。
【００７２】
位相オフセット検出及びチャネル応答回転部２２は、Ｉ軸及びＱ軸の各成分の位相オフセット判定値（Ｐｈａｓｅ  Ｅｒｒｏｒ  Ｅｓｔｉｍａｔｉｏｎ  Ｖａｌｕｅ）すなわち（Ｐerr_I，Ｐerr_q）を供給する。一方、データ蓄積部２１におけるＩ軸及びＱ軸の各成分の積算値は、ＲＡＫＥ合成部１５のデータ・イネーブル信号の次のクロックで出力され、フィルタ通過後の位相オフセット判定値（Ｐerr_I，Ｐerr_q）の値と足し合わされる。
【００７３】
図９には、キャリア位相オフセットをＩＱ平面上で示している。同図から判るように、キャリア位相オフセットは一方向の回転として観測される。図示の例では、受信キャリア周波数の方が送信キャリア周波数よりも大きいときには反時計回りに、受信キャリア周波数の方が送信キャリア周波数よりも小さいときには時計回りに、ＩＱ平面上を回転する。
【００７４】
このように、位相オフセット検出及びチャネル応答回転部２２は、伝搬路測定値を基に行なわれるＲＡＫＥ受信結果をＩＱ平面上にマッピングすることで、位相オフセット判定値（Ｐerr_I，Ｐerr_q）を得ている。
【００７５】
また、位相オフセット検出及びチャネル応答回転部２２は、キャリア位相オフセットがＩＱ平面上で５．６２５度を超えることを検出する機能を備えている。図１０Ａ及び図１０Ｂには、キャリア位相オフセットが５．６２５度を超えたときの位相オフセット検出及びチャネル応答回転部２２の動作を示している。図示の例では、伝搬路推定値とキャリア位相オフセット判定値（Ｐerr_I，Ｐerr_q）についてそれぞれ、位相オフセットとは逆方向に１１．２５度だけ回転させる。この結果、キャリアの位相オフセットを±５．６２５度に収めることができる。このように、ほとんどのキャリア・トラッキング処理をデジタル回路で構成されるベースバンド処理部で行なうことができるので、ＲＦ回路内ではキャリア周波数の制御を行なう必要がなくなる。
【００７６】
また、位相オフセット検出及びチャネル応答回転部２２は、伝搬路推定値及びキャリア位相オフセット判定値（Ｐerr_I，Ｐerr_q）の位相補正を行なうと同時に、内部カウンタ（図示しない）に、位相補正方向が正ならば−１、負なら＋１だけ加算する。位相オフセットの正負とカウンタ値が±１５、±１６になった場合、これまでの合計で±１８０度の位相オフセットが観測されたとみなすことができる。これは１／８チップ分の受信位置オフセットに相当する。そこで、位相オフセット検出及びチャネル応答回転部２２は、ＲＦ部に対し、キャリア信号のチップ位置を、観測された位相オフセットと反対方向に１／４チップ分だけ補正するための移相指令を送信する。
【００７７】
ＲＦ部内の発振器は、ベースバンド処理部からの移相指令に応答して、チップ・タイミングすなわちチップ内位相を０／４から２／４に切り替える機構を備えており、これにより、ＡＤ変換のタイミングを変更し、ＲＦ部の位相を１／４分だけ補正することが可能である。
【００７８】
キャリア・トラッキング部では、上述したような動作を、ＲＡＫＥ受信が終了するまでの間、繰り返し実行する。
【００７９】
既に述べたように、受信機側では、パケットのプリアンブルに含まれる伝搬路測定用シーケンスを用いて伝搬路の測定を行なう。このような場合、パケットの受信開始時においては、伝搬路測定用のシーケンスから得られた伝搬路測定結果には位相オフセットに起因する誤差が含まれている。このため、伝搬路測定値を決定した時点から情報信号の受信を開始するまでの期間における位相回転量が一定値を超えると、データ復調が破綻してしまうという問題がある。
【００８０】
そこで、本実施形態に係る無線通信装置は、その受信機側において、通信相手となる送信機のＲＦ回路内の発振器との位相オフセットを、伝搬路測定部１２による伝搬路測定結果に基づいて推定する位相オフセット推定回路を装備している。そして、伝搬路測定結果の決定時点からデータ受信開始時点までの時間差を計測し、位相オフセット推定回路から得られる位相オフセット量に応じて伝搬路測定結果に対し補正を施すようになっている。これによって、伝搬路測定値の決定時からデータ受信開始時までの位相オフセットに起因する伝搬路測定値の誤差を補償するので、正しい伝搬路測定値を基にデータ復調を行なうことができるので、復調処理が破綻をきたす危険が解消される。
【００８１】
図１１には、伝搬路測定結果に基づいて推定する位相オフセット推定回路の構成例を示している。同回路内では、伝搬路測定部１２（又はプリアンブル終端検出部１３）から伝搬路測定値としてのＩ及びＱ成分（デジタル処理された受信信号を逆拡散シーケンスで複素乗算して逆拡散を行なうことで得られる受信シンボル）を受け取ると、そのａｒｃｔａｎにより位相オフセット値を求める。そして、位相オフセット値の誤差を抑えるために、数サンプル周期（図示の例では５周期分）にわたる位相オフセット値をラッチし、位相オフセット算出部ではこれらの平均値を取って、位相オフセット値として逐次出力する。
【００８２】
そして、伝搬路測定部１２において伝搬路測定値を決定した時点から情報信号の受信を開始するまでの期間（図１２中に示す「位相補正時間」）に生じる位相オフセット量に応じて伝搬路測定結果を補正する訳であるから、伝搬路測定結果の決定時点からデータ受信開始時点までの時間差を計測する必要がある。
【００８３】
図１３には、伝搬路測定結果の決定時点からデータ受信開始時点までの時間差を計測するための位相補正時間計測回路の構成例を示している。図示の回路は、例えば伝搬路測定部１２から供給される伝搬路測定値の決定タイミングと、プリアンブル終端検出部１３からのプリアンブル終端の検出タイミングと、カウンタ入力に基づいて、位相補正時間を計測するようになっている。
【００８４】
そして、位相オフセット値と、位相補正時間に基づいて、伝搬路測定値の位相補正量を求める。その後、プリアンブルに続くデータ（情報信号）の受信開始時に、伝搬路測定部１２における伝搬路測定結果を補正する。図１４にはその回路構成を模式的に示している。また、図１５には、ＩＱ空間上で伝搬路測定値の補正を行なう様子を示している。
【００８５】
キャリア・トラッキングは、上記の補正された伝搬路測定値から開始される。
【００８６】
上述したように本発明に係る無線通信装置は、高速で且つ高精度の伝搬路測定が可能となる。そして、伝搬路測定値の決定時からデータ受信開始時までの位相オフセットに起因する伝搬路測定値の誤差を補償するので、正しい伝搬路測定値を基にデータ復調を行なうことができ、復調処理が破綻をきたす危険が解消される。
【００８７】
また、本発明に係る無線通信装置は、高精度なキャリア・トラッキングが可能となる。また、キャリア・トラッキング処理の大部分をデジタル回路で行なうことから、ＲＦ回路内のキャリア周波数制御を行なう必要がなく、ＲＦ回路をより簡素に構成することができる。
【産業上の利用可能性】
【００８８】
以上、特定の実施形態を参照しながら、本発明について詳解してきた。しかしながら、本発明の要旨を逸脱しない範囲で当業者が該実施形態の修正や代用を成し得ることは自明である。
【００８９】
本明細書では、スペクトラム拡散してウルトラワイドバンド通信を適用した実施形態を中心に本発明について説明してきたが、本発明の要旨はこれに限定されるものではなく、通常のスペクトラム拡散を行なう通信方式であっても、本発明が同様に実現可能であることは言うまでもない。
【００９０】
要するに、例示という形態で本発明を開示してきたのであり、本明細書の記載内容を限定的に解釈するべきではない。本発明の要旨を判断するためには、特許請求の範囲を参酌すべきである。
【図面の簡単な説明】
【００９１】
【図１】図１は、本発明の一実施形態に係る無線通信装置におけるＲＦ部の構成を模式的に示した図である。
【図２】図２は、９０度位相差を持つＩ軸及びＱ軸信号と、その乗算後の信号波形のイメージを示した図である。
【図３】図３は、本発明の実施形態に係る無線通信装置におけるベースバンド処理部の構成を模式的に示した図である。
【図４】図４は、本発明の実施形態において、無線伝送に用いられる信号のフォーマット構成例を模式的に示した図である。
【図５】図５は、図３に示した受信系統の構成をより詳細に示した図である。
【図６】図６は、キャリア・トラッキング部の構成を示した図である。
【図７】図７は、データ蓄積部２１内でＩ軸及びＱ軸の各成分の加算処理を行なう回路構成を示した図である。
【図８】図８は、Ｉ軸及びＱ軸の各成分の加算処理を行なう操作をＩＱ平面上で示した図である。
【図９】図９は、キャリア位相オフセットをＩＱ平面上で示した図である。
【図１０Ａ】図１０Ａは、時計回りのキャリア位相オフセットが５．６２５度を超えたときに逆方向に１１．２５度だけキャリア位相を回転させて位相オフセットを±５．６２５度に収める動作を示した図である。
【図１０Ｂ】図１０Ｂは、反時計回りのキャリア位相オフセットが５．６２５度を超えたときに逆方向に１１．２５度だけキャリア位相を回転させて位相オフセットを±５．６２５度に収める動作を示した図である。
【図１１】図１１は、伝搬路測定結果に基づいて推定する位相オフセット推定回路の構成例を示した図である。
【図１２】図１２は、伝搬路測定部１２において伝搬路測定値を決定した時点から情報信号の受信を開始するまでの位相補正時間を説明するための図である。
【図１３】図１３は、伝搬路測定結果の決定時点からデータ受信開始時点までの時間差を計測するための位相補正時間計測回路の構成例を示した図である。
【図１４】図１４は、伝搬路測定部１２における伝搬路測定結果を補正するための回路構成例を示した図である。
【図１５】図１５は、ＩＱ空間上で伝搬路測定値の補正を行なう様子を示した図である。
【符号の説明】
【００９２】
１０…ベースバンド処理部
１１…拡散変調部
１２…伝搬路測定部
１３…プリアンブル終端検出部
１４…ＲＡＫＥ合成部
１５…物理層シーケンス制御部
２１…データ蓄積部
２２…位相オフセット検出及びチャネル応答回転部
【図１】
2008153833.tif 000003
【図２】
2008153833.tif 000004
【図３】
2008153833.tif 000005
【図４】
2008153833.tif 000006
【図５】
2008153833.tif 000007
【図６】
2008153833.tif 000008
【図７】
2008153833.tif 000009
【図８】
2008153833.tif 000010
【図９】
2008153833.tif 000011
【図１０Ａ】
2008153833.tif 000012
【図１０Ｂ】
2008153833.tif 000013
【図１１】
2008153833.tif 000014
【図１２】
2008153833.tif 000015
【図１３】
2008153833.tif 000016
【図１４】
2008153833.tif 000017
【図１５】
2008153833.tif 000018